(57)【特許請求の範囲】
【請求項１】
第１通信エリアを有する第１基地局と、前記第１通信エリアよりも広範な第２通信エリアを有する第２基地局との間で待ち受けの切り替えが可能な携帯端末機器であって、
前記第２通信エリアに前記第１基地局が位置する場合において前記第２基地局によって送信される、待ち受けの基地局を切り替える処理を行う周期であって通常より短い周期を含む報知情報を受信する受信部と、
前記受信部が前記報知情報を受信した場合に、当該報知情報に含まれる周期で待ち受ける基地局を切り替える処理を行う制御部と、
を備えることを特徴とする携帯端末機器。
【請求項２】
第１通信エリアを有する第１基地局と、
前記第１通信エリアよりも広範な第２通信エリアを有し、前記第１基地局が前記第２通信エリア内に位置する場合、待ち受けの基地局を切り替える処理を開始する周期であって通常より短い周期を含む報知情報を送信する第２基地局と、
前記第２基地局から送信される前記報知情報を受信した場合に、当該報知情報に含まれる周期で待ち受ける基地局を切り替える切替処理を行う携帯端末機器と、
を備えることを特徴とする無線通信システム。
【請求項３】
第１基地局の通信エリアより広い通信エリアを有し、当該第１の基地局をその通信エリアに含む第２基地局が、待ち受けの基地局を切り替える処理を開始する周期であって通常より短い周期を含む報知情報を送信するステップと、
前記第２の基地局に待ち受ける携帯端末機器が、前記報知情報を受信するステップと、
前記携帯端末機器が、前記報知情報を受信した場合に、当該報知情報に含まれる周期で待ち受ける基地局を切り替える処理を行うステップと、
を有する基地局切り替え方法。
【請求項４】
自局の通信エリアより狭い通信エリアを有する他の基地局を自局の通信エリアに含む場合、待ち受ける基地局を切り替える処理を行う周期であって通常より短い周期を含む報知情報を送信する基地局。
【請求項５】
基地局が、自局の通信エリアより狭い通信エリアを有する他の基地局を自局の通信エリアに含む場合、待ち受ける基地局を切り替える処理を行う周期であって通常より短い周期を含む報知情報を送信する方法。
【発明の詳細な説明】
【技術分野】
【０００１】
本発明は、ユーザ等に携帯される携帯端末機器、当該機器との間で無線通信を行う無線通信システム、基地局切り替え方法、基地局、送信方法に関する。
【背景技術】
【０００２】
無線通信システムに設けられる無線基地局は、半径数百メートル〜十数キロメートル程度の大きさの通信エリア（マクロセル）を有するマクロ基地局と、半径数十メートル程度の極めて小さな通信エリア（フェムトセル）を有するフェムト基地局とに大別される。フェムト基地局は、高層マンション、マクロセル同士の境界領域、或いは地下等の不感地における通信品質を改善するために補助的に設置される基地局であり、待ち受け可能な携帯端末機器を限定することによって通信速度の向上が可能である等の利点がある。
【０００３】
マクロ基地局とフェムト基地局とが混在する無線通信システムで用いられる携帯端末機器の中には、タイマにより周期的にリセレクション処理を行うことによって待ち受けを行う基地局をマクロ基地局からフェムト基地局に切り換えるものがある。ここで、「リセレクション処理」とは、待ち受けをしている周波数帯における待ち受けを一旦開放し、他の優先度の高い周波数帯を捕捉した場合にはその優先度の高い周波数帯で新たに待ち受けを行う処理である。
【０００４】
以下の特許文献１には、周辺に存在する基地局のバンドクラス、リセレクションタイミング等の情報をＢＣＳＭＳ（BroadCast Short Message Service）によって携帯端末機器に通知することにより、リセレクション周期を可変にする技術が開示されている。
【先行技術文献】
【特許文献】
【０００５】
【特許文献１】特開２００８−２５２２３１号公報
【発明の概要】
【発明が解決しようとする課題】
【０００６】
ところで、フェムト基地局は、基本的には不感地対策のために設けられるものであり、マクロ基地局からの電波が弱くなる場所に設置されることが多い。このため、携帯端末機器におけるリセレクション処理は、通常、待ち受けをしているマクロ基地局の電波強度が所定の強度よりも低くなったタイミングで行われる。しかしながら、マクロ基地局からの電波が十分強い場所に設置される特別なフェムト基地局（例えば、通信速度の向上を目的として設置されるフェムト基地局）も存在し得る。マクロ基地局からの電波強度に応じてリセレクション処理を行う従来の携帯端末機器は、このような特別なフェムト基地局に待ち受けを切り替えることができないという問題があった。
【０００７】
本発明は、上記事情に鑑みてなされたものであり、マクロ基地局からの電波強度が強い場所に位置するフェムト基地局に対しても待ち受けすることができる携帯端末機器、無線通信システム、基地局切り替え方法、基地局、送信方法を提供することを目的とする。
【課題を解決するための手段】
【０００８】
上記課題を解決するために、本発明の携帯端末機器は、第１通信エリアを有する第１基地局と、前記第１通信エリアよりも広範な第２通信エリアを有する第２基地局との間で待ち受けの切り替えが可能な携帯端末機器であって、前記第２通信エリアに前記第１基地局が位置する場合において前記第２基地局によって送信される、待ち受けの基地局を切り替える処理を行う周期であって通常より短い周期を含む報知情報を受信する受信部と、前記受信部が前記報知情報を受信した場合に、当該報知情報に含まれる周期で待ち受ける基地局を切り替える処理を行う制御部と、を備える。
本発明の無線通信システムは、第１通信エリアを有する第１基地局と、前記第１通信エリアよりも広範な第２通信エリアを有し、前記第１基地局が前記第２通信エリア内に位置する場合、待ち受けの基地局を切り替える処理を開始する周期であって通常より短い周期を含む報知情報を送信する第２基地局と、前記第２基地局から送信される前記報知情報を受信した場合に、当該報知情報に含まれる周期で待ち受ける基地局を切り替える切替処理を行う携帯端末機器と、を備える。
本発明の基地局切り替え方法は、第１基地局の通信エリアより広い通信エリアを有し、当該第１の基地局をその通信エリアに含む第２基地局が、待ち受けの基地局を切り替える処理を開始する周期であって通常より短い周期を含む報知情報を送信するステップと、前記第２の基地局に待ち受ける携帯端末機器が、前記報知情報を受信するステップと、前記携帯端末機器が、前記報知情報を受信した場合に、当該報知情報に含まれる周期で待ち受ける基地局を切り替える処理を行うステップと、を有する。
本発明の基地局は、自局の通信エリアより狭い通信エリアを有する他の基地局を自局の通信エリアに含む場合、待ち受ける基地局を切り替える処理を行う周期であって通常より短い周期を含む報知情報を送信する。
本発明の送信方法は、基地局が、自局の通信エリアより狭い通信エリアを有する他の基地局を自局の通信エリアに含む場合、待ち受ける基地局を切り替える処理を行う周期であって通常より短い周期を含む報知情報を送信する。
【発明の効果】
【０００９】
本発明によれば、第２基地局（例えば、マクロ基地局）からの電波強度が強い場所に位置する第１基地局（例えば、フェムト基地局）に対しても待ち受けすることができるという効果がある。
【図面の簡単な説明】
【００１０】
【図１】本発明の一実施形態による無線通信システムの要部構成を示すブロック図である。
【図２】携帯電話機が移動する経路の一例を示す図である。
【図３】図２に示す経路で携帯電話機が移動するときに携帯電話機で行われる処理を示すタイミングチャートである。
【発明を実施するための形態】
【００１１】
以下、図面を参照して本発明の一実施形態による携帯端末機器及び無線通信システムについて詳細に説明する。尚、本実施形態では、携帯端末機器が携帯電話機である例について説明する。図１は、本発明の一実施形態による無線通信システムの要部構成を示すブロック図である。図１に示す通り、本実施形態の無線通信システム１は、マクロ基地局１０（第２基地局）、フェムト基地局２０（第１基地局）、及び携帯電話機３０（携帯端末機器）を備える。
【００１２】
マクロ基地局１０及びフェムト基地局２０は、ネットワークＮに接続されており、ネットワークＮを介して相互に通信することが可能である。尚、無線通信システム１は、マクロ基地局１０、フェムト基地局２０、及び携帯電話機３０を複数備えるが、図１においては、図示を簡略化するために、各々を１つずつ図示している。また、図１では図示を省略しているが、ネットワークＮには、メールサーバ装置、Ｗｅｂサーバ装置等の各種サーバ装置も接続されている。
【００１３】
マクロ基地局１０は、フェムト基地局２０の通信エリアよりも広範なマクロセルと呼ばれる通信エリア（第２通信エリア）を有しており、このマクロセル内に位置する携帯電話機３０との間で無線信号を送受信して通信を行う。マクロ基地局１０の通信エリアは半径数百メートル〜十数キロメートル程度の領域であり、マクロ基地局１０は、隣接するマクロ基地局１０との間で通信エリアの隙間が生じないように設置される。
【００１４】
このマクロ基地局１０は、ＥＳＰＭ送信処理部１１及びＢＣＳＭＳ送信処理部１２を備える。ＥＳＰＭ送信処理部１１は、携帯電話機３０との間で通信を行うために必要な制御信号である拡張型のシステムパラメータメッセージ（ＥＳＰＭ：Extended System Parameter Message）の送信処理を行う。具体的には、携帯電話機３０に提供すべき情報であるＢＣＳＭＳ（ブロードキャスト・ショートメッセージサービス：BroadCast Short Message Service）の配信の有無を示す情報（BCAST_INDEX）を含むＥＳＰＭを生成して送信する処理を行う。
【００１５】
ＢＣＳＭＳ送信処理部１２は、携帯電話機３０に提供すべき情報をＢＣＳＭＳにより送信する処理を行う。具体的には、マクロ基地局１０の通信エリア内にフェムト基地局２０が位置する旨を示す情報（以下、「フェムト設置情報」という）と、携帯電話機３０に対してリセレクション処理（詳細は後述する）を試行すべき周期を示す情報（以下、「周期情報」という）とを含む報知情報をＢＣＳＭＳにより送信する処理を行う。尚、マクロ基地局１０は、自身の通信エリア内にフェムト基地局２０が位置するか否かを自動的に知ることはできない。このため、フェムト基地局２０の設置作業が終了した時点で、上記の報知情報をマクロ基地局１０に設定する作業が作業者によって行われる。
【００１６】
フェムト基地局２０は、フェムトセルと呼ばれる通信エリア（第１通信エリア）を有しており、このフェムトセル内に位置する携帯電話機３０との間で無線信号を送受信して通信を行う。フェムト基地局１０の通信エリアは半径数十メートル程度の領域であり、フェムト基地局２０は、主に高層マンション、マクロセル同士の境界領域、或いは地下等の不感地における通信品質を改善するために補助的に設置される。また、フェムト基地局２０は、通信速度の向上等を目的とする場合には、マクロ基地局１０からの電波が十分強い場所に設置される。本実施形態においては、マクロ基地局１０からの電波が十分強い場所にフェムト基地局２０が位置するとする。
【００１７】
このフェムト基地局２０は、ＥＳＰＭ送信処理部２１及びＢＣＳＭＳ送信処理部２２を備える。ＥＳＰＭ送信処理部２１は、携帯電話機３０との間で通信を行うために必要な制御信号であるＥＳＰＭの送信処理を行う。具体的には、マクロ基地局１０が備えるＥＳＰＭ送信処理部１１と同様に、携帯電話機３０に提供すべき情報であるＢＣＳＭＳの配信の有無を示す情報（BCAST_INDEX）を含むＥＳＰＭを生成して送信する処理を行う。
【００１８】
ＢＣＳＭＳ送信処理部２２は、携帯電話機３０に提供すべき情報をＢＣＳＭＳにより送信する処理を行う。具体的には、マクロ基地局１０から送信される報知情報に対応する情報であって、自身がフェムト基地局である旨を示す情報（種別情報、対応情報）をＢＣＳＭＳにより送信する処理を行う。以下、この情報（種別情報）を「フェムト基地局情報」という。詳細は後述するが、フェムト基地局情報は、携帯電話機３０において、待ち受けをしている基地局がマクロ基地局１０であるのか、或いはフェムト基地局２０であるのかをユーザに知らせるために用いられる。
【００１９】
携帯電話機３０は、無線通信部３１、キー操作部３２（選択部）、表示部３３（通知部）、マイクロフォン３４、スピーカ３５（通知部）、ＥＳＰＭ受信処理部３６、ＢＣＳＭＳ受信処理部３７（受信部）、メモリ３８、タイマ処理部３９、及び制御部４０を備える。かかる構成の携帯電話機３０は、マクロ基地局１０とフェムト基地局２０との間で待ち受けの切り替えが可能であり、待ち受けを行っている基地局との間で無線信号を送受信して通信を行う。尚、携帯電話機３０は、リセレクション処理を行うことによって待ち受けを行う基地局を切り替える。
【００２０】
無線通信部３１は、アンテナ３１ａを介してマクロ基地局１０又はフェムト基地局２０との間（待ち受けを行っている基地局との間）で無線信号の送受信を行うことで、無線通信システム１の他の携帯電話機のユーザとの間の通話を実現するものである。尚、この無線通信部３１は、他のユーザとの間の通話のみならず、電子メールの送受信やホームページの閲覧等も実現する。
【００２１】
キー操作部３２は、ユーザによって操作されるテンキー、通話キー、終話キー、及び多方向キー等の各種の押下操作可能な複数の操作キーを備えており、ユーザの操作に応じた操作信号を制御部４０に出力する。尚、詳細は後述するが、キー操作部３２の操作によって、リセレクション処理を制御部４０に実施させるか否かの選択が可能である。表示部３３は、液晶表示装置や有機ＥＬ（Electro Luminescence）装置等の表示装置を備えており、制御部４０の制御の下でユーザに知らせるべき各種情報を文字や図形等で表示する。マイクロフォン３４はユーザの音声等を音声信号に変換して制御部４０に出力し、スピーカ３５は制御部４０から出力される音声信号に応じた音声を発生する。
【００２２】
ＥＳＰＭ受信処理部３６は、制御部４０の制御の下で、マクロ基地局１０又はフェムト基地局２０から送信されるＥＳＰＭを受信する。尚、ＥＳＰＭ受信処理部３６で受信されたＥＳＰＭは制御部４０に出力される。ＢＣＳＭＳ受信処理部３７は、制御部４０の制御の下で、マクロ基地局１０又はフェムト基地局２０からＢＣＳＭＳによって送信された各種情報を受信する。マクロ基地局１０からＢＣＳＭＳによって送信された情報を受信した場合には、ＢＣＳＭＳ受信処理部３７は、例えばフェムト設置情報や同期情報を制御部４０に出力する。これに対し、フェムト基地局２０からＢＣＳＭＳによって送信された情報を受信した場合には、ＢＣＳＭＳ受信処理部３７は、例えばフェムト基地局情報を制御部４０に出力する。
【００２３】
メモリ３８は、例えば揮発性又は不揮発性の半導体メモリを備えており、制御部４０で実行させる各種プログラム、アドレス帳、その他のデータを記憶する。タイマ処理部３９は、制御部４０によって指示された時間を指示されたタイミングで計時し、計時を終了した場合にはその旨を示す信号を制御部４０に出力する。尚、制御部４０がタイマ処理部３９を制御することによって、一時に複数の時間を計時することが可能である。
【００２４】
制御部４０は、図１に示す携帯電話機３０をなす各ブロックを制御することにより、携帯電話機３０の動作を統括的に制御する。例えば、制御部４０は、ＥＳＰＭ受信処理部３６及びＢＣＳＭＳ受信処理部３７を制御することにより、マクロ基地局１０又はフェムト基地局２０からＢＣＳＭＳによって送信される各種の情報やＥＳＰＭを受信するタイミングを制御する。
【００２５】
また、制御部４０は、待ち受けをしている基地局を切り替えるリセレクション処理を行う。制御部４０は、例えば待ち受けをしているマクロ基地局１０の電波強度が所定の強度よりも低くなった場合、或いはマクロセル間の移動があった場合にリセレクション処理（通常の切替処理）を行う。尚、制御部４０は、携帯電話機３０の電池消費を抑えるため、数十分〜１日弱程度の周期でこのリセレクション処理を試行する。以下、このリセレクション処理を「通常リセレクション」という。
【００２６】
また、制御部４０は、ＢＣＳＭＳ受信処理部３７で受信された報知情報に、フェムト設置情報が含まれている場合にもリセレクション処理を行う。ここで行われるリセレクション処理は、フェムト基地局２０を捕捉し、待ち受けを行う基地局をマクロ基地局１０からフェムト基地局２０に切り替える切替処理である。このリセレクション処理は、マクロ基地局１０からの電波強度が強い場所に位置するフェムト基地局２０に待ち受けをするために行われる。以下、このリセレクション処理を「フェムトリセレクション」という。
【００２７】
フェムトリセレクションを試行するときに、ＢＣＳＭＳ受信処理部３７で受信された報知情報にリセレクション処理を試行すべき周期を示す情報（周期情報）が含まれている場合には、制御部４０は、ＢＣＳＭＳ受信処理部３７からフェムト基地局情報が出力されるまで、その周期情報で示される周期でフェムトリセレクションを試行する。この周期情報で示される周期は、上記の通常リセレクションが行われる周期よりも短い周期に設定される。
【００２８】
ここで、制御部４０は、通常リセレクション又はフェムトリセレクションを行う場合には、その旨をユーザに通知する制御を行う。具体的には、表示部３３を制御して通常リセレクション又はフェムトリセレクションが行われる旨を文字等で表示し、或いは通常リセレクション又はフェムトリセレクションが行われる旨を示す音声をスピーカ３５から発生させる。
【００２９】
また、制御部４０は、ＢＣＳＭＳ受信処理部３７からフェムト基地局情報が出力された場合には、その情報をユーザに通知する制御を行う。尚、フェムト基地局情報を通知する方法は、上述した通常リセレクション又はフェムトリセレクションが行われる旨をユーザに通知する方法と同様であり、表示部３３への表示又はスピーカ３５からの音声発生により行われる。
【００３０】
更に、制御部４０は、キー操作部３２の操作に応じて、フェムトリセレクションの実施、中断、再開を制御する。フェムトリセレクションは、通常リセレクションよりも短い周期で試行されるため、フェムトリセレクションが実施されると携帯電話機３０の電池消費が多くなる。ユーザの指示によってフェムトリセレクションの実施、中断、再開を可能にすることにより、ユーザが電池残量を考慮しながら必要に応じてフェムト基地局２０を利用することができるといった使い方が可能になる。
【００３１】
次に、上記構成における無線通信システムの動作について説明する。ここでは、図２に示す経路で携帯電話機３０が移動するときに無線通信システムで行われる動作を例に挙げて説明する。図２は、携帯電話機が移動する経路の一例を示す図であり、図３は、図２に示す経路で携帯電話機が移動するときに携帯電話機で行われる処理を示すタイミングチャートである。
【００３２】
図２に示す通り、２つのマクロ基地局１０ａ，１０ｂと１つのフェムト基地局２０とが設置されているとする。マクロ基地局１０ａは通信エリアＡ１を有しており、マクロ基地局１０ｂはマクロ基地局１０ａの通信エリアＡ１と一部重複する通信エリアＡ２を有している。また、フェムト基地局２０は、通信エリアＢ１を有しており、通信エリアＢ１の全てがマクロ基地局１０ｂの通信エリアＡ２内に収まり、且つマクロ基地局１０ａの通信エリアＡ１と重複しないように設置されている。
【００３３】
通信エリアＡ２内にフェムト基地局２０が位置するため、マクロ基地局１０ｂからは、フェムト設置情報と周期情報とを含む報知情報がＢＣＳＭＳにより送信される。これに対し、通信エリアＡ１内にはフェムト基地局２０が位置していないため、マクロ基地局１０ａからは上記の報知情報は送信されない。また、フェムト基地局２０からは、フェムト基地局情報がＢＣＳＭＳにより送信される。尚、携帯電話機３０は、フェムト基地局を使用する旨の設定が予めなされているとする。
【００３４】
まず、携帯電話機３０がマクロ基地局１０ａの通信エリアＡ１内における地点Ｐ１に位置する場合には、携帯電話機３０は、マクロ基地局１０ａから送信されるＥＳＰＭをＥＳＰＭ受信処理部３６で受信する。ここで、受信したＥＳＰＭに含まれる「BCAST_INDEX」の値が０である場合にはＢＣＳＭＳの配信が無いため、携帯電話機３０の制御部４０は通常リセレクションを行う（ステップＳ１１）。尚、通常リセレクションは、数十分〜１日弱程度の周期で試行されるため、マクロ基地局１０ａとの待ち受けを一旦開放して他のマクロ基地局に待ち受けを行う処理がステップＳ１１で直ちに実施されるわけではない。
【００３５】
次に、携帯電話機３０がマクロ基地局１０ｂの通信エリアＡ２内における地点Ｐ２に移動すると、携帯電話機３０は、まずマクロ基地局１０ｂから送信されるＥＳＰＭをＥＳＰＭ受信処理部３６で受信する。図３に示す例では、受信したＥＳＰＭに含まれる「BCAST_INDEX」の値が１であり、ＢＣＳＭＳによる情報の配信が有る旨が示されている。このため、携帯電話機３０の制御部４０は、ＢＣＳＭＳ受信処理部３７を制御して、マクロ基地局１０ｂからＢＣＳＭＳによって送信される報知情報の受信を開始させる（ステップＳ１２）。
【００３６】
図３に示す通り、マクロ基地局１０ｂからＢＣＳＭＳによって送信される報知情報には、フェムト設置情報及び周期情報が含まれている。この報知情報がＢＣＳＭＳ受信処理部３７で受信され、報知情報に含まれるフェムト設置情報及び周期情報が制御部４０に出力されると、制御部４０は、フェムトリセレクションが行われる旨（フェムト基地局２０の捕捉処理を開始した旨）を示す情報を文字等で表示部３３に表示し、或いはその情報を音声でスピーカ３５から発生させることによってユーザに通知する（ステップＳ１３）。これにより、ユーザは、携帯電話機３０でフェムトリセレクションが行われることを認識することができる。
【００３７】
以上の通知がなされたタイミングで、ユーザがキー操作部３２を操作してフェムトリセレクションの中断を指示すると、制御部４０はリセレクションの実施を中断する。仮に、携帯電話機３０の周囲にフェムト基地局２０が全く配置されていない場合には、フェムトリセレクションを実施したとしても全くの無駄になる。ユーザの指示によってリセレクションの実施が中断されることにより、電池消費を抑制することができる。尚、携帯電話機３０が、マクロ基地局１０ｂの通信エリアＡ２内に位置するときに、ユーザがキー操作部３２を操作してフェムトリセレクションの再開を指示すると、制御部４０はリセレクションの実施を再開する。
【００３８】
ステップＳ１３におけるユーザに対する通知がなされた後に、フェムトリセレクションの中断がユーザによって指示されない場合には、フェムト基地局２０の捕捉処理が開始される。そして、フェムト基地局２０が捕捉された場合に、待ち受けを行う基地局をマクロ基地局１０ｂからフェムト基地局２０に切り替えるフェムトリセレクションが制御部４０の制御によって行われる（ステップＳ１４）。ここで、携帯電話機３０がマクロ基地局１０ｂの通信エリアＡ２内における地点Ｐ２に位置していると、フェムト基地局２０が捕捉されないため、フェムトリセレクションは完了しない。
【００３９】
いま、制御部４０の制御の下でマクロ基地局１０ｂから送信された周期情報で示される周期でフェムトリセレクションが試行されている状態で、携帯電話機３０がフェムト基地局２０の通信エリアＢ１内における地点Ｐ３に移動したとすると、携帯電話機３０によってフェムト基地局２０が捕捉される。すると、制御部４０の制御によって、待ち受けを行う基地局がマクロ基地局１０ｂからフェムト基地局２０に切り替えられ、これによりフェムトリセレクションが完了する。
【００４０】
フェムトリセレクションが完了すると、携帯電話機３０は、フェムト基地局２０から送信されるＥＳＰＭをＥＳＰＭ受信処理部３６で受信する。図３に示す例では、受信したＥＳＰＭに含まれる「BCAST_INDEX」の値が１であり、ＢＣＳＭＳによる情報の配信が有る旨が示されている。このため、携帯電話機３０の制御部４０は、ＢＣＳＭＳ受信処理部３７を制御して、フェムト基地局２０からＢＣＳＭＳによって送信されるフェムト基地局情報の受信を開始させる（ステップＳ１５）。
【００４１】
フェムト基地局情報がＢＣＳＭＳ受信処理部３７で受信されて制御部４０に出力されると、制御部４０は、待ち受けを行っている基地局がフェムト基地局２０で有る旨を示す情報を文字等で表示部３３に表示し、或いはその情報を音声でスピーカ３５から発生させることによってユーザに通知する（ステップＳ１６）。これにより、ユーザは、携帯電話機３０がフェムト基地局２０に待ち受けしたことを認識することができる。
【００４２】
ここで、携帯電話機３０がフェムト基地局２０に待ち受けしている状態で、携帯電話機３０がフェムト基地局２０の通信エリアＢ１外に移動したとする。具体的には、図２中のマクロ基地局１０ｂの通信エリアＡ２内における地点Ｐ４に移動したとする。すると、携帯電話機３０の制御部４０は、フェムト基地局２０を捕捉できなくなるため、フェムト基地局２０の通信エリアＢ１外に移動した旨を示す情報を文字等で表示部３３に表示し、或いはその情報を音声でスピーカ３５から発生させることによってユーザに通知する。これにより、ユーザは、携帯電話機３０がフェムト基地局２０外に移動したことを認識することができる。
【００４３】
次に、携帯電話機３０がマクロ基地局１０ａの通信エリアＡ１内における地点Ｐ５に移動すると、携帯電話機３０は、まずマクロ基地局１０ａから送信されるＥＳＰＭをＥＳＰＭ受信処理部３６で受信する。ここで図３に示す例では、受信したＥＳＰＭに含まれる「BCAST_INDEX」の値が０であり、ＢＣＳＭＳによる情報の配信が無い旨が示されている。このため、携帯電話機３０の制御部４０はフェムトリセレクションを終了して通常リセレクションを行う（ステップＳ１７）。フェムトセクションから通常リセレクションに切り替えると、制御部４０は、通常リセレクションが行われる旨を示す情報を文字等で表示部３３に表示し、或いはその情報を音声でスピーカ３５から発生させることによってユーザに通知する（ステップＳ１８）。
【００４４】
以上説明した通り、本実施形態では、通信エリアＡ２内にフェムト基地局２０が位置するマクロ基地局１０ｂから、フェムト設置情報（通信エリア内にフェムト基地局が位置する旨を示す情報）を送信し、このフェムト設置情報を受信した携帯電話機３０が待ち受けを行う基地局をマクロ基地局１０ｂからフェムト基地局２０に切り替えている。このため、フェムト基地局２０がマクロ基地局１０ｂからの電波強度が強い場所に位置していてもフェムト基地局２０に待ち受けすることができる。
【００４５】
ここで、マクロ基地局１０ｂからの電波強度が強い場所に位置するフェムト基地局２０の近傍に携帯電話機３０が位置しているときに、ユーザがフェムト基地局２０のスキャン指示を行えば、そのフェムト基地局２０に待ち受けを切り替えることができるとも考えられる。しかしながら、リセレクション処理は、携帯電話機３０の電池消費を抑えるために数十分〜１日弱程度の長い周期で試行されるため、ユーザによってスキャン指示がなされても即座にリセレクション処理が行われる訳ではなく、ユーザがスキャン指示を行ってから待ち受けの切り替えが行われるまでにタイムラグが生ずる。しかも、待ち受けを行うためには、ユーザがスキャン指示を行う必要があるため操作が煩わしい。これに対し、本実施形態では、ユーザが煩わしい操作を行うことなくフェムト基地局２０に待ち受けすることができる。
【００４６】
また、フェムトリセレクションは、マクロ基地局１０ｂから送信される周期情報で示される周期で試行され、この周期情報で示される周期は通常リセレクションの周期よりも短い。このため、フェムトリセレクションは、通常リセレクションよりも短い時間間隔で試行されるため、通常リセレクションよりも早くフェムト基地局２０を捕捉することができ、より早くフェムト基地局２０への待ち受けを行うことができる。
【００４７】
また、フェムトリセレクションが行われるときには、フェムトリセレクションが行われる旨（フェムト基地局２０の捕捉処理を開始した旨）を示す情報がユーザに通知される。これにより、ユーザは、フェムトリセレクションが不要な場合には、キー操作部３２を操作すればフェムトリセレクションを中断させることができる。これにより、不要なフェムトリセレクションが抑制され、携帯電話機３０の電池消費を抑えることができる。
【００４８】
更に、携帯電話機３０が、フェムト基地局２０から送信されるフェムト基地局情報（自身がフェムト基地局である旨を示す情報）を受信した場合には、そのフェムト基地局情報をユーザに通知するようにしている。これにより、ユーザは、現在待ち受けをしている基地局がフェムト基地局であること（即ち、高スループットの通信環境にあること）を知ることができる。
【００４９】
以上、本発明の一実施形態による携帯端末機器及び無線通信システムについて説明したが、本発明は上記実施形態に制限されず、本発明の範囲内で自由に変更が可能である。例えば、上記実施形態では、報知情報（フェムト設置情報及び周期情報）をマクロ基地局１０に設定する作業が作業者によって行われる例について説明した。しかしながら、この報知情報をマクロ基地局１０に設定する作業を自動化しても良い。
【００５０】
例えば、マクロ基地局１０の通信エリア内に位置するフェムト基地局２０は、そのマクロ基地局１０に割り当てられた固有の識別子（マクロ基地局１０から送信される識別子）を受信することができる。このため、マクロ基地局１０から送信される識別子を受信したフェムト基地局が、自身がフェムト基地局である旨を示す情報を、ネットワークＮを介して受信した識別子で特定されるマクロ基地局１０に向けて送信することにより、マクロ基地局１０は自身の通信エリア内にフェムト基地局２０が位置することを知ることができる。これにより、報知情報をマクロ基地局１０に設定する作業を自動化することができる。
【００５１】
また、本発明は携帯電話機に限られず、ＰＤＡ等の携帯性を有する携帯端末機器に適用可能である。更に、上記実施形態では、第１基地局がフェムト基地局であり、第２基地局がマクロ基地局である例について説明したが、本発明は、フェムト基地局とマクロ基地局とを備える無線通信システムに限られることはない。つまり、本発明は、第１通信エリアを有する第１基地局と、第１通信エリアよりも広範な第２通信エリアを有する第２基地局とを備える無線通信システムであれば適用可能である。例えば、高速なデータ通信を可能とする規格であるＬＴＥ（Long Term Evolution）にも本発明を適用可能である。
【符号の説明】
【００５２】
１                無線通信システム
１０              マクロ基地局
１０ａ，１０ｂ    マクロ基地局
２０              フェムト基地局
３０              携帯電話機
３２              キー操作部
３３              表示部
３５              スピーカ
３７              ＢＣＳＭＳ受信処理部
４０              制御部
Ａ１，Ａ２        通信エリア
Ｂ１              通信エリア
【図１】
0005380328.tif 000002
【図２】
0005380328.tif 000003
【図３】
0005380328.tif 000004